(57)【要約】【課題】空気清浄機の表示インジケータ部におけるＬＥＤ光による機能表示文字を表示する際に光漏れによる視認性の低下を簡易な構成で防止すること。【解決手段】光源を用いて表示を行う表示インジケータ部３１を有する空気清浄機において、記表示インジケータ部３１は、光源を有する部材１５と、光源を有する部材１５の前面に設けられた表示形成部材１７と、表示形成部材１７の前面に設けられたガラスパネル１９とを有し、表示形成部材１７は、ガラスパネル接触面２０と光反射面２１を有し、記光反射面２１はガラスパネル接触面２０より明るい色で構成することを特徴とする空気清浄機。【選択図】図５
2019128461.tif 000002
【特許請求の範囲】
【請求項１】
光源を用いて表示を行う表示インジケータ部を有する空気清浄機において、
前記表示インジケータ部は、光源を有する部材と、前記光源を有する部材の前面に設けられた表示形成部材と、前記表示形成部材の前面に設けられたガラスパネルとを有し、
前記表示形成部材は、ガラスパネル接触面と光反射面を有し、
前記光反射面は前記ガラスパネル接触面より明るい色で構成することを特徴とする空気清浄機。
【請求項２】
前記ガラスパネル接触面は黒色系で構成することを特徴とする、請求１に記載の空気清浄機。
【発明の詳細な説明】
【技術分野】
【０００１】
本発明は空気清浄機に関する。
【背景技術】
【０００２】
特許文献１には、ＬＥＤの点灯時には光を必要以上に拡散させずに必要な表示だけを明りょうに表示し、ＬＥＤの消灯時には表示が見えず周辺との色差を均一にすることができる家庭用電気機器ＬＥＤ表示装置が開示されている。
【０００３】
この発明は、ＬＥＤを設けた本体と、ＬＥＤに対向するように本体に取り付けたパネルとを備え、前記パネルは、ＬＥＤと対向する部分をＬＥＤ光の透過方向に厚くした厚肉部と、ＬＥＤ１７と対向しない部分をＬＥＤ光の透過方向に薄くした薄肉部とからなるＬＥＤの光を透過する光透過部材とで概略構成される。
【先行技術文献】
【特許文献】
【０００４】
【特許文献１】特開２０１２−２４２４４０号公報
【発明の概要】
【発明が解決しようとする課題】
【０００５】
特許文献１の構成はパネルの構成が複雑なため製造コストがかさむという課題がある。また、表示インジケータ部は、表示視認性を確保する為に、表示インジケータ部の制御基板上にＬＥＤを搭載し、その照射光をガラス面に透過する必要がある。その制御基板には他の文字に光が漏れない様、光の散乱を制限する目的で表示成形パネルを被せ、ＬＥＤの光をガラス面に抜き文字印刷した機能選択表示文字に照射し視認させる必要がある。その際、表示成形パネルは光の照射効率を上げる為、白色系を使用するが、成形品の精度やガラス面との接着制度により、光漏れが発生し、その漏れた光によって視認性が低下するのを防止する必要があった。
【課題を解決するための手段】
【０００６】
上記課題を解決すべく、本発明の空気清浄機は、光源を用いて表示を行う表示インジケータ部を有する空気清浄機において、前記表示インジケータ部は、光源を有する部材と、前記光源を有する部材の前面に設けられた表示形成部材と、前記表示形成部材の前面に設けられたガラスパネルとを有し、前記表示形成部材は、ガラスパネル接触面と光反射面を有し、前記光反射面は前記ガラスパネル接触面より明るい色で構成することを特徴とする。
【発明の効果】
【０００７】
本発明によれば、表示インジケータ部の機能表示文字に光漏れによる視認性の低下を簡易な構成で防止することが可能となり、低コストでデザイン性に優れた製品を提供することができる。
【図面の簡単な説明】
【０００８】
【図１】本発明に係る実施形態の空気清浄機を示す斜視図である。
【図２】実施形態の表示インジケータ部の拡大図である。
【図３】実施形態の表示インジケータ部の構造を示す図である。
【図４】表示形成パネルの斜視図である。
【図５】表示成形パネルのＬＥＤ光反射面を示す拡大図である。
【発明を実施するための形態】
【０００９】
以下、本発明の実施例を図面に従って説明する。
【００１０】
図１は、本発明の実施形態に係る空気清浄機の外観斜視図である。図１に示すように、空気清浄機１は、空気清浄機本体１００と、空気清浄機本体１００の後部に着脱可能に設けられるリアパネル（パネル）２０と、を有する。空気清浄機本体１００は、略箱形状のハウジング２と、加湿機構３と、を備えている。ハウジング２はフロントパネル２ａと、一対のサイドパネル２ｂ，２ｂ（図１には、左側のサイドパネル２ｂのみ図示）と、アッパケース２ｃと、を備えている。また、ハウジング２は、水タンク３ｃが引き出し可能に収容されるタンクベース４と、タンクベース４に取り付けられるリアケース２ｄと、を介して組み立てられている。
【００１１】
図２は、実施形態の表示インジケータ部３１の拡大図である。図２に示すように表示インジケータ部３１には、空気清浄機の機能を選択可能とするタッチ操作部１１とタッチ操作部で選択された機能表示が表示部１０で表示される。
【００１２】
図３は、図２に示す表示インジケータ部の構成を分解図で示したものである。空気清浄機の表示インジケータ部の構造は、図３に示す表示基板１５の上面に、表示成形パネル１７が被せられる。表示成形パネル１７は、表示基板１５上に搭載されたＬＥＤの照射光方向を制限する。表示基板１５に搭載されているＬＥＤからの照射光が効率よくガラスパネルに透過されるためには、表示成形パネル１７の色は白色のような明るい色が好ましい。
【００１３】
しかしながら、表示成形パネル１７とガラスパネル１９との接触が十分でなく僅かに隙間がある場合、例えば、図２において、機能表示文字Ａ２５の照射光が漏れ、本来点灯表示すべき箇所ではない隣接する機能表示文字Ｂ２６を光らせ、表示インジケータの視認性が低下する。
【００１４】
図４は、実施形態の表示成形パネル１７を示す図である。図２機能表示文字Ａ２５の照射光の漏れを減衰されるために、表示成形パネル１７のガラスパネル接触面２０（図５参照）は、黒色系にするのが好ましい。ＬＥＤ光反射面２１はガラスパネル接触面より明るい色とすることで、ガラスパネル接触面２０とＬＥＤ光反射面２１が色彩のコントラストを有するようにするのが好ましい。
【００１５】
例えば、ガラスパネル接触面２０とＬＥＤ光反射面２１の色彩の組み合わせは、白と黒、白と灰色、灰色と黒があげられる。
【００１６】
この効果としては、ガラスパネル接触面２０を黒色系とすることでＬＥＤ光の光漏れを防止し、ＬＥＤ光反射面２１をより明るい色とすることで、低輝度のＬＥＤを用いた場合でも、表示部インジケータ部３の表示文字をはっきり表示することで視認性を確保することである。
【００１７】
ガラスパネル接触面２０は、例えば、ローラー塗布治具を使用し黒色系を塗布する。表示成形パネルから漏れた照射光は、ガラスパネル接触面に塗布した黒色系により、ＬＥＤ光を吸収し、漏れた照射光は減衰する。これにより、光漏れによる視認性の低することが可能となる。
【００１８】
上記方法とは別に、一般的なスタンプインクパッドを当該表示成形パネル１７より大きいサイズの治具を用意し表示成形パネル１７の表面を押し付けて塗布する方法や、表示成形パネル１７の材料に黒色系を使用し、ＬＥＤ光反射面２１を白色系塗料にて塗布する方法等がある。
【符号の説明】
【００１９】
１０・・・表示部、１１・・・タッチ操作部、１４・・・基板ケース、１５・・・表示基板、１６・・・操作基板、１７・・・表示成形パネル、１８・・・導光板、１９・・・ガラスパネル、２０・・・ガラスパネル接触面、２１・・・ＬＥＤ光反射面、３１・・・表示インジケータ部
【図１】
2019128461.tif 000003
【図２】
2019128461.tif 000004
【図３】
2019128461.tif 000005
【図４】
2019128461.tif 000006
【図５】
2019128461.tif 000007